(57)【要約】【課題】摺動ブラシを使用せず、電極板の両端を電気的に接続することにより、リールが回動した場合でも電気的な接続を確実にしたアイロンを提供すること。【解決手段】コードリール装置５内のリール６ａ内に電源コード４とヒータ１およびベース２とを電気的に接続させる、導電性の材料で形成されたコイル状の電極板９が配設されており、電極板９の外側端は電源コード４の一端とつながれており、内側端は、それぞれ配線コード１０が電気的に接続されてリールケース７の軸部７ａに固定されている。これによって、リールが回動した場合でも電気的な接続を確実にしたアイロンを実現させるものである。【選択図】図１
2007307032.tif 000002
【特許請求の範囲】
【請求項１】
ヒータによって加熱されるベースと、前記ベースの上方に配設した把手と、前記ヒータに給電するためのコードと、前記把手の後部に取着し、かつ、前記コードを出没自在に収納するコードリール装置とを備え、前記コードリール装置は、前記コードを巻取るリールと、前記リールを回動自在に収納するリールケースと、前記コードと前記ヒータおよび前記ベースまたはいずれか一方とを電気的に接続させる電極部材とを具備し、前記電極部材は変形自在な導電体で形成し、前記コードと前記ヒータおよび前記ベースまたはいずれか一方とを軸方向の付勢力なしで電気的に接続させたアイロン。
【請求項２】
電極部材の外側端をリールに取着し、コードと電気的に接続させた請求項１記載のアイロン。
【請求項３】
電極部材の内側端をリールケースに取着し、ヒータと電気的に接続させた請求項１または２記載のアイロン。
【請求項４】
電極部材の内側端をリールケースに取着し、ベースと電気的に接続させた請求項１〜３のいずれか１項に記載のアイロン。
【請求項５】
ヒータによって加熱されるベースと、前記ベースの上方に配設した把手と、前記ヒータに給電するためのコードと、前記把手の後部に取着し、かつ、前記コードを出没自在に収納するコードリール装置とを備え、前記コードリール装置は、前記コードを巻取るリールと、前記リールを回動自在に収納するリールケースと、前記コードと前記ヒータおよび前記ベースまたはいずれか一方とを電気的に接続させる環状の電極板およびコイル状の電極板を具備し、前記コイル状の電極板は変形自在な導電体で形成し、前記コードと前記ヒータおよび前記ベースまたはいずれか一方とを軸方向の付勢力なしで電気的に接続させたアイロン。
【請求項６】
コイル状の電極板の外側端をリールに取着し、コードと電気的に接続させた請求項５記載のアイロン。
【請求項７】
コイル状の電極板の内側端をリールケースに取着し、ベースと電気的に接続させた請求項５または６記載のアイロン。
【請求項８】
環状の電極板の略中心と、コイル状の電極板の略中心を略同心とした請求項５〜７のいずれか１項に記載のアイロン。
【請求項９】
リールケースは、把手後部を閉塞するように配設した請求項１〜８のいずれか１項に記載のアイロン。
【発明の詳細な説明】
【技術分野】
【０００１】
本発明は、衣類等のしわ伸ばしに用いられるアイロンに関するものである。
【背景技術】
【０００２】
従来、この種のアイロンは、コードリール装置において、複数の電極板と付勢力を有する摺動ブラシにより、リールが回動した場合でも電気的な接続を確保していた（例えば、特許文献１参照）。
【０００３】
図６は前記公報に記載された従来のアイロン装置を示すもので、以下その構成について説明する。このアイロンは、ヒータ（図示せず）を埋設しているベース（図示せず）と、ベースの上方に配設された把手５１と、前記把手５１の後部に取着し、かつ、コード５２を出没自在に収納するコードリール装置５３とを備えている。コードリール装置５３は、コード５２を巻き取る回動自在なリール５４を有し、コードリール装置５３をコンパクトにするためリール５４は、アイロンがけに必要な長さ、すなわち２ｍ前後のコード５２を巻きとるために、コード５２の巻き取りをスムースに行ない、かつコード５２が複数列巻けるように幅広くしており、一方のリールケース５５の軸部５５ａに保持されている。また、リールケース５５とリール５４の間にゼンマイ５６を介在させ、コード５２が自動的に巻き取られる方向に付勢するものである。
【０００４】
リール５４内に取り付けられている電極板５７ａ、５７ｂは電気的に絶縁されて環状に配設され、コード５２の一端とつながれており、電極板５７ａ、５７ｂと相対向するリールケース５５ｂに取り付けられた摺動ブラシ５８ａ、５８ｂは電極板５７ａ、５７ｂに押し付けられるようにバネ性を持った材料で作られている。そして、環状面の２ヶ所で各々接触する接点５９を有している。さらに、ロック金具６０をリールケース５５ｂの把手５１側に配設しており、一端がリール５４のストッパー部６１に位置するようにバネ６２によって常に一方向に付勢され、他端は把手５１後方中空部に位置させている。ロック金具６０を押し下げる押圧部６３を一体に形成した巻取りボタン６４をリールケース５５ｂ上部、把手５１取り付け面側に配設し、バネ６５によってロック金具６０から離れる方向に付勢している。
【特許文献１】特開２００３−７１１９７号公報
【発明の開示】
【発明が解決しようとする課題】
【０００５】
しかしながら、このような従来のアイロン装置では、電極板と摺動ブラシとの電気的な接続を摺動ブラシの付勢力に依存しているため、摺動ブラシの付勢力が低下した場合にはコードとヒータあるいはベースとの電気的な接続が確保できなくなっていた。特に、電源コードとして、アース線を有する３芯の電源コードを使用したアイロンにおいては、ベースの接地が不完全となることにより、アイロンかけにより発生した静電気に起因する使用上の不快感や制御回路への悪影響等が問題となっていた。
【０００６】
本発明は、上記従来の課題を解決するもので、摺動ブラシを使用せず、コードとヒータあるいはベースとを電気的に接続することにより、リールが回動した場合でも電気的な接続を確実にしたアイロンを提供することを目的としている。
【課題を解決するための手段】
【０００７】
前記従来の課題を解決するために、本発明のアイロンは、電極部材は変形自在な導電体で形成し、コードとヒータおよびベースまたはいずれか一方とを軸方向の付勢力なしで電気的に接続させたものである。
【０００８】
これによって、リールが回動した場合でもコードとヒータあるいはベースとの電気的な接続を確実にしたアイロンを実現させるものである。
【発明の効果】
【０００９】
本発明のアイロンは、コードを任意の長さに引き出すためにリールが回動した場合においても、コードとヒータあるいはベースとの電気的な接続を確実にすることができる。
【発明を実施するための最良の形態】
【００１０】
第１の発明は、ヒータによって加熱されるベースと、前記ベースの上方に配設した把手と、前記ヒータに給電するためのコードと、前記把手の後部に取着し、かつ、前記コードを出没自在に収納するコードリール装置とを備え、前記コードリール装置は、前記コードを巻取るリールと、前記リールを回動自在に収納するリールケースと、前記コードと前記ヒータおよび前記ベースまたはいずれか一方とを電気的に接続させる電極部材とを具備し、前記電極部材は変形自在な導電体で形成し、前記コードと前記ヒータおよび前記ベースまたはいずれか一方とを軸方向の付勢力なしで電気的に接続させたもので、コードを任意の長さに引き出すためにリールが回動した場合においても、コードとヒータあるいはベースとの電気的な接続を確実にしたアイロンを実現させることができる。
【００１１】
第２の発明は、上記第１の発明において、電極部材の外側端をリールに取着し、コードと電気的に接続させたもので、コードを任意の長さに引き出すためにリールが回動した場合においても、コードとヒータあるいはベースとの電気的な接続を確実にしたアイロンを実現させることができる。
【００１２】
第３の発明は、上記第１または第２の発明において、電極部材の内側端をリールケースに取着し、ヒータと電気的に接続させたもので、コードを任意の長さに引き出すためにリールが回動した場合においても、コードとヒータとの電気的な接続を確実にしたアイロンを実現させることができる。
【００１３】
第４の発明は、上記第１〜第３の発明において、電極部材の内側端をリールケースに取着し、ベースと電気的に接続させたもので、コードを任意の長さに引き出すためにリールが回動した場合においても、コードとベースとの電気的な接続を確実にしたアイロンを実現させることができる。
【００１４】
第５の発明は、ヒータによって加熱されるベースと、前記ベースの上方に配設した把手と、前記ヒータに給電するためのコードと、前記把手の後部に取着し、かつ、前記コードを出没自在に収納するコードリール装置とを備え、前記コードリール装置は、前記コードを巻取るリールと、前記リールを回動自在に収納するリールケースと、前記コードと前記ヒータおよび前記ベースまたはいずれか一方とを電気的に接続させる環状の電極板およびコイル状の電極板を具備し、前記コイル状の電極板は変形自在な導電体で形成し、前記コードと前記ヒータおよび前記ベースまたはいずれか一方とを軸方向の付勢力なしで電気的に接続させたもので、コードを任意の長さに引き出すためにリールが回動した場合においても、コードとヒータあるいはベースとの電気的な接続を確実にしたアイロンを実現させることができる。
【００１５】
第６の発明は、上記第５の発明において、コイル状の電極板の外側端をリールに取着し、コードと電気的に接続させたもので、コードを任意の長さに引き出すためにリールが回動した場合においても、コードとヒータあるいはベースとの電気的な接続を確実にし、かつ、収容容積を小さくしたアイロンを実現させることができる。
【００１６】
第７の発明は、上記第５または第６の発明において、コイル状の電極板の内側端をリールケースに取着し、ベースと電気的に接続させたもので、コードを任意の長さに引き出すためにリールが回動した場合においても、コードとベースとの電気的な接続を確実にし、かつ、収容容積を小さくしたアイロンを実現させることができる。
【００１７】
第８の発明は、上記第５〜第７の発明において、環状の電極板の略中心と、コイル状の電極板の略中心を略同心としたもので、コードを任意の長さに引き出すためにリールが回動した場合においても、コードとヒータあるいはベースとの電気的な接続を確実にし、かつ、収容容積を小さくしたアイロンを実現させることができる。
【００１８】
第９の発明は、上記第１〜第８の発明のいずれかにおいて、リールケースは、把手後部を閉塞するように配設したもので、コードを任意の長さに引き出すためにリールが回動した場合においても、コードとヒータあるいはベースとの電気的な接続を確実にし、かつ、収容容積を小さくしたアイロンを実現させることができる。
【００１９】
以下、本発明の実施の形態について、図面を参照しながら説明する。また、この実施の形態によって本発明が限定されるものではない。
【００２０】
（実施の形態１）
図１は、本発明の第１の実施の形態におけるアイロンの要部切り欠き側面図、図２は、同アイロンのコードリール装置の把手側リールケースを外した状態の正面図である。
【００２１】
図１、２において、ヒータ１によって加熱されるベース２と、ベース２の上方に配設した把手３と、ヒータ１に給電するための電源コード４と、把手３の後部に取着し、かつ、電源コード４を出没自在に収納するコードリール装置５とを具備し、コードリール装置５は、電源コード４を巻き取るリール６、６ａと、リール６、６ａを回動自在に収容するリールケース７、７ｂを有している。電源コード４は、外周の絶縁被覆内に、２本の給電線と１本のアース線を有している。
【００２２】
リール６、６ａは、アイロンかけに必要な長さ、すなわち２ｍ前後の電源コード４の巻きとりをスムースに行ない、かつ電源コード４が複数列巻けるように幅広く形成しており、リールケース７の軸部７ａに回転自在に保持されている。また、リールケース７とリール６の間にゼンマイ８を介在させ、電源コード４が自動的に巻きとられる方向に付勢している。
【００２３】
リール６ａ内には導電性の材料で形成されたコイル状の電極板９が、リール６ａの厚さ方向に積層するように３個取り付けられており、そのうちの２個は、それぞれ配線コード１０等を介してヒータ１の両極につながり、残りの１個は、配線コード１０等を介してヒータ１とは電気的に絶縁されたベース２につながっている。これら３個の電極板９の外側端は電源コード４のそれぞれ対応する給電線もしくはアース線の一端と電気的に接続されており、内側端にはそれぞれ配線コード１０が電気的に接続されている。また、内側端は、それぞれの間が電気的に絶縁された状態でリールケース７の軸部７ａに固定されている。
【００２４】
すなわち、リール６、６ａとともに回転する電源コード４の各線と回転しないヒータ１あるいはベース２との間の電気的接続を、従来のようなリール６、６ａやリールケース７の軸部７ａの軸方向のバネ材の付勢力による接触ではなく、それぞれしっかりした固定的接続によるものとしている。
【００２５】
３層に積層されて配置された３個の電極板９の間には、非導電性の絶縁板を配置して、電極板同士の接触による電気的短絡が発生しないようにしている。
【００２６】
また、３個の電極板９の巻方向は、ゼンマイ８の巻方向と同じにして、電極板９が電源コード４の巻き取り力を阻害しないようにしている。
【００２７】
さらに、ロック金具１１を把手３側のリールケース７ｂに配設しており、リール６ａのストッパー部６ｂに係合可能にロックレバーバネ１２によって常に一方向に付勢されている。ロック金具１１を押し下げる押圧部１３ａを一体に形成した巻取りボタン１３をリールケース７ｂ上部に配設し、巻取りボタンバネ１５によってロック金具１１から離れる方向に付勢している。
【００２８】
上記構成のものに、リールケース７にリール６ａ側から覆うようにリールケース７ｂを取り付け、コードリール装置５として組み上げ、このコードリール装置５を把手３にその後部を閉塞するように取り付けてアイロンとしている。
【００２９】
以上のように構成されたアイロンの作用、動作について、以下に説明する。アイロンを使用しないときは電源コード４はリール６、６ａに巻きつけられてコードリール装置５内にコンパクトに収容されており、プラグ１４のみがリールケース７の出口から突出している。電源コード４を引き出すときはプラグ１４を持ち、矢印Ａ方向へ引っ張ることによりゼンマイ８の付勢力に抗してリール６、６ａは矢印Ｂ方向に回転する。このとき、３個のコイル状の電極板９もリール６ａと共に回転するが、外側端はリール６ａに、内側端はリールケース７の軸部７ａに各々固定されているため、両端部に応力が加わることなく常に確実な電気接続を可能にしている。
【００３０】
また、電源コード４は全て引き出す必要がなく、引き出しを中断すればその時点で複数あるストッパー部６ｂのいずれか１つがロック金具１１に引っ掛かり、電源コード４は引出された長さに保たれる。電源コード４を引き出す長さはアイロンかけする対象物の大きさによって作業者が自由に選択することができる。
【００３１】
アイロンかけ終了後、電源コード４を収納するときは、巻取りボタンバネ１５に抗して押し下げられた巻取りボタン１３の押圧部１３ａによりロック金具１１は矢印Ｃ方向に動いてストッパー６ａから外れる。そしてリール６、６ａは規制を解かれ矢印Ｂと逆方向に回転し、電源コード４を複列に巻き付けながら収容することができる。この際、電極板９の巻方向をゼンマイ８の巻方向と同じにしているので、電極板９が電源コード４の巻き取り力を阻害することがない。また、電極板９をバネ製の強いものにすれば、ゼンマイ８の巻き取り力を補強して、コードリール装置を小型化することも可能である。
【００３２】
（実施の形態２）
図３は、本発明の第２の実施の形態におけるアイロンの要部切り欠き側面図、図４は、同アイロンのコードリール装置の正面図、図５は、同アイロンのコードリール装置の把手側リールケースを外した状態の正面図である。
【００３３】
図３、４及び５において、ヒータ１によって加熱されるベース２と、ベース２の上方に配設した把手３と、ヒータ１に給電するための電源コード４と、把手３の後部に取着し、かつ、電源コード４を出没自在に収納するコードリール装置５とを具備し、コードリール装置５は、電源コード４を巻き取るリール６、６ａと、リール６、６ａを回動自在に収容するリールケース７、７ｂを有している。電源コード４は、外周の絶縁被覆内に、２本の給電線と１本のアース線を有している。
【００３４】
リール６、６ａは、アイロンかけに必要な長さ、すなわち２ｍ前後の電源コード４を巻きとるために、電源コード４の巻き取りをスムースに行ない、かつ電源コード４が複数列巻けるように幅広く形成しており、リールケース７の軸部７ａに回転自在に保持されている。また、リールケース７とリール６の間にゼンマイ８を介在させ、電源コード４が自動的に巻きとられる方向に付勢している。
【００３５】
リール６ａ内略中央には導電性の材料で形成されたコイル状の電極板９が取り付けられており、電極板９の外側端は電源コード４のアース線と電気的に接続されており、内側端には配線コード１０が電気的に接続され、この配線コード１０を介してベース２に電気的に接続されている。また、内側端は前記リールケース７の軸部７ａに固定されている。
【００３６】
リール６ａの端面の電極板９の外周部分には、導電性のバネ材で形成され、上部に接点１７を有している摺動ブラシ１６、１６ａが取り付けられており、それぞれ電源コード４の２本の給電線とつながれている。また、リールケース７ｂには摺動ブラシ１６、１６ａと相対向する位置に環状の電極リング１８、１８ａを同心円状に取り付けており、配線コード１０とつながれている。そして、リール６ａが回転してどの回転位置にあっても、摺動ブラシ１６、１６ａと電極リング１８、１８ａとがバネ材の付勢力によって接触を保ち、電源コード４の２本の給電線は、それぞれ配線コード１０等を介してヒータ１の両極に電気的に接続される。
【００３７】
すなわち、リール６、６ａとともに回転する電源コード４の各線と回転しないヒータ１あるいはベース２との間の電気的接続を、従来のようなリール６、６ａやリールケース７の軸部７ａの軸方向のバネ材の付勢力による接触ではなく、それぞれしっかりした固定的接続によるものとしている。
【００３８】
また、電極板９の巻方向は、ゼンマイ８の巻方向と同じにして、電極板９が電源コード４の巻き取り力を阻害しないようにしている。
【００３９】
さらに、ロック金具１１を把手３側のリールケース７ｂに配設しており、リール６ａのストッパー部６ｂに係合可能にロックレバーバネ１２によって常に一方向に付勢されている。ロック金具１１を押し下げる押圧部１３ａを一体に形成した巻取りボタン１３をリールケース７ｂ上部に配設し、巻取りボタンバネ１５によってロック金具１１から離れる方向に付勢している。
【００４０】
上記構成のものに、リールケース７にリール６ａ側から覆うようにリールケース７ｂを取り付け、コードリール装置５として組み上げ、このコードリール装置５を把手３にその後部を閉塞するように取り付けてアイロンとしている。
【００４１】
以上のように構成されたアイロンの作用、動作について、以下に説明する。アイロンを使用しないときは電源コード４はリール６、６ａに巻きつけられてコードリール装置５内にコンパクトに収容されており、プラグ１４のみがリールケース７の出口から突出している。電源コード４を引き出すときは、プラグ１４を持ち、矢印Ａ方向へ引っ張ることによりゼンマイ８の付勢力に抗してリール６、６ａは矢印Ｂ方向に回転する。このとき、コイル状の電極板９の外側端はリール６ａに、内側端はリールケース７の軸部７ａに各々固定されているため、両端部に応力が加わることなく常に確実な電気接続を可能にしている。また、摺動ブラシ１６、１６ａについては上部に取り付けた接点１７が環状の電極板１８、１８ａと接触することで電気的な接続を可能にしている。
【００４２】
また、電源コード４は全て引き出す必要がなく、引き出しを中断すればその時点で複数あるストッパー部６ｂのいずれか１つがロック金具１１に引っ掛かり、電源コード４は引き出された長さに保たれる。電源コード４を引き出す長さはアイロンかけする対象物の大きさによって作業者が自由に選択することができる。
【００４３】
アイロンかけ終了後、電源コード４を収納するときは、巻取りボタンバネ１５に抗して押し下げられた巻取りボタン１３の押圧部１３ａによりロック金具１１は矢印Ｃ方向に動いてストッパー６ｂから外れる。そしてリール６、６ａは規制を解かれ矢印Ｂと逆方向に回転し、電源コード４を複列に巻き付けながら収容することができる。この際、電極板９の巻方向をゼンマイ８の巻方向と同じにしているので、電極板９が電源コード４の巻き取り力を阻害することがない。また、電極板９をバネ性の強いものにすれば、ゼンマイ８の巻き取り力を補強して、コードリール装置を小型化することも可能である。
【００４４】
なお、上記の実施の形態１、２では、電極部材として、導電性材料で形成した板材をコイル状にして使用したが、柔軟性のある線材で形成しても同様の効果が得られる。
【産業上の利用可能性】
【００４５】
以上のように、本発明にかかるアイロンは、リールが回動した場合においても電気的な接続を確実にすることができるので、衣類等のしわ伸ばしを行うアイロンに限らず、電線巻取り装置を備えた各種電気機器等として有用である。
【図面の簡単な説明】
【００４６】
【図１】本発明の実施の形態１のアイロンの要部切り欠き側面図
【図２】同アイロンのコードリール装置の把手側リールケースを外した状態の正面図
【図３】本発明の実施の形態２のアイロンの要部切り欠き側面図
【図４】同アイロンのコードリール装置の正面図
【図５】同アイロンのコードリール装置の把手側リールケースを外した状態の正面図
【図６】従来のアイロンのコードリール装置の部分の要部断面図
【符号の説明】
【００４７】
１  ヒータ
２  ベース
３  把手
４  電源コード（コード）
５  コードリール装置
６  リール
７  リールケース
８  ゼンマイ
９  電極板（電極部材）
１０  配線コード
１１  ロック金具
１２  ロックレバーバネ
１３  巻取りボタン
１４  プラグ
１５  巻取りボタンバネ
１６  摺動ブラシ
【図１】
2007307032.tif 000003
【図２】
2007307032.tif 000004
【図３】
2007307032.tif 000005
【図４】
2007307032.tif 000006
【図５】
2007307032.tif 000007
【図６】
2007307032.tif 000008